(57)【特許請求の範囲】
【請求項１】
植物性繊維又は動物性繊維にマイナスの電圧を印加する一方、凝集剤にプラスの電圧を印加して、植物性繊維又は動物性繊維に凝集剤を電気的に吸着させて生成したことを特徴とする汚泥処理剤。
【請求項２】
植物性繊維は、紙であることを特徴とする請求項１記載の汚泥処理剤。
【請求項３】
凝集剤は、消石灰、硫酸鉄、硫酸バンド、ポリ塩化アルミニウム、塩化第二鉄のいずれか一種又は二種以上の混合物であることを特徴とする請求項１〜請求項２のいずれかに記載の汚泥処理剤。
【請求項４】
植物性繊維又は動物性繊維に、硫酸鉄、硫酸バンド、ポリ塩化アルミニウム及び塩化第二鉄の混合溶液からなる凝集剤を吸着させて生成したことを特徴とする汚泥処理剤。
【請求項５】
請求項１〜請求項４のいずれか１項に記載の汚泥処理剤を汚泥内に混入し、汚泥の脱水を行うことを特徴とする汚泥処理方法。
【発明の詳細な説明】
【０００１】
【発明の属する技術分野】
本発明は、汚泥処理剤及びそれを用いた汚泥処理方法に関するものである。
【０００２】
【従来の技術】
従来、汚泥の処理方法としては、汚泥内に高分子凝集剤を混入してゲル状とし、その後、脱水処理していた。
【０００３】
【発明が解決しようとする課題】
ところが、上記従来の汚泥処理方法にあっては、汚泥内に高分子凝集剤を混入していたため、脱水処理後の汚泥を焼却すると、汚泥に含まれる高分子物質が燃焼してダイオキシン等の有害物質を生成させてしまうおそれがあり、実用的なものではなかった。
【０００４】
また、汚泥をゲル状としていたため、汚泥内に水分が分子水として含有されており、汚泥と水とを脱水により分離することが困難であった。
【０００５】
しかも、脱水処理後の含水率が90％〜80％と高く、汚泥の量を大幅に減少させることはできなかった。
【０００６】
【課題を解決するための手段】
そこで、本発明では、植物性繊維又は動物性繊維にマイナスの電圧を印加する一方、凝集剤にプラスの電圧を印加して、植物性繊維又は動物性繊維に凝集剤を電気的に吸着させて生成することとした。
【０００７】
また、植物性繊維又は動物性繊維にマイナスの電圧を印加する一方、凝集剤にプラスの電圧を印加して、植物性繊維又は動物性繊維に凝集剤を電気的に吸着させて生成することとした。
【０００８】
また、植物性繊維として紙を用いることとした。
【０００９】
また、凝集剤として、消石灰、硫酸鉄、硫酸バンド、ポリ塩化アルミニウム、塩化第二鉄のいずれか一種又は二種以上の混合物を用いることとした。
【００１０】
また、植物性繊維又は動物性繊維に、硫酸鉄、硫酸バンド、ポリ塩化アルミニウム及び塩化第二鉄の混合溶液からなる凝集剤を吸着させて生成することとした。
【００１１】
また、上記いずれかの汚泥処理剤を汚泥内に混入し、汚泥の脱水を行うこととした。
【００１２】
【発明の実施の形態】
本発明に係る汚泥処理剤は、まず、新聞紙等の古紙を水中に浸漬した後、混合して、繊維状とし、さらに脱水処理する。尚、古紙に限らず、普通紙を用いることもでき、植物性繊維又は動物性繊維を用いることができる。
【００１３】
次に、上記繊維状の古紙にイオン化した凝集剤を混入して、古紙の表面に凝集剤を吸着させ、その後、乾燥させて、綿状の汚泥処理剤を生成する。
【００１４】
ここで、凝集剤としては、消石灰、硫酸鉄、硫酸バンド、ポリ塩化アルミニウム及び塩化第二鉄のいずれか一種又は二種以上の混合物、或いは、硫酸鉄、硫酸バンド、ポリ塩化アルミニウム及び塩化第二鉄の混合溶液を用いている。
【００１５】
尚、凝集剤として消石灰を用いた場合には、古紙に消石灰を混入することにより、古紙に消石灰が吸着するとともに塊状化するため、その後、乾燥させずに破砕することにより、粉末状の汚泥処理剤を生成することができる。
【００１６】
このように、植物性繊維又は動物性繊維を用いることにより、繊維に凝集剤を吸着させる際に、繊維が核となってその表面に凝集剤が吸着することとなり、凝集剤の吸着を容易かつ確実に行わせることができる。
【００１７】
また、本発明に係る汚泥処理剤は、新聞紙等の古紙を水中に浸漬した後、混合して繊維状とし、約40％〜50％の水分を含んだ状態のまま、凝集剤を混入して生成してもよい。
【００１８】
このように水分を含んだ状態のまま凝集剤を混入して生成した汚泥処理剤は、前記固形状の汚泥処理剤よりも汚泥に良好に溶け、これにより、汚泥の脱水効率を向上させることができる。
【００１９】
しかも、本発明に係る汚泥処理剤は、植物性繊維又は動物性繊維にマイナスの電圧を印加する一方、凝集剤にプラスの電圧を印加して、電気泳動を利用して植物性繊維又は動物性繊維に凝集剤を電気的に吸着させたものである。
【００２０】
この場合には、凝集剤の電気泳動により、短時間で植物性繊維又は動物性繊維に凝集剤を吸着させることができ、汚泥処理剤の生成時間を短縮することができる。
【００２１】
また、本発明に係る汚泥処理方法は、上記汚泥処理剤を汚泥の中へ混入するものである。
【００２２】
上記汚泥処理剤を汚泥の中へ混入すると、汚泥処理剤の表面に汚泥が吸着し、汚泥と水とが分離される。
【００２３】
これは、汚泥処理剤がイオン化した凝集剤によりプラス側にイオン化されており、一方、汚泥がマイナス側にイオン化されているため、汚泥処理剤の表面のプラスイオンに汚泥のマイナスイオンが吸着されることにより、汚泥と水とが分離されるものである。
【００２４】
汚泥処理剤を混入した汚泥は、長時間放置することにより、汚泥処理剤に吸着した汚泥が沈澱して、汚泥と水とを分離することができる。
【００２５】
また、汚泥処理剤を混入した汚泥を真空脱水又はプレス脱水することにより、前記沈澱によるよりも短時間で汚泥と水とを分離することができる。
【００２６】
このようにして処理された後の残留汚泥は、有機物であるため、肥料として再利用することができ、又、焼却処分することもできる。
【００２７】
このように、本発明によれば、汚泥の脱水を容易に行うことができ、汚泥の処理を容易なものとすることができる。
【００２８】
しかも、汚泥処理剤の原料として、古新聞紙等の古紙を利用することができるため、資源の有効活用を図ることができる。
【００２９】
【実施例】
（実施例１）
古新聞紙200Kg を水中に浸漬した後、ミキサーにより混合して、繊維状とし、さらに真空脱水機により脱水処理し、その後、同繊維状の古紙に濃度50％の硫酸バンドとポリ塩化アルミニウムとの混合液 100リットルを混入し、古紙の表面に硫酸バンドとポリ塩化アルミニウムとを吸着させ、その後、乾燥させて、綿状の汚泥処理剤150Kg を生成した。
【００３０】
尚、凝集剤として、硫酸鉄、塩化第二鉄の溶液を用いても、上記と同様にして、汚泥処理剤を生成することができる。
【００３１】
（実施例２）
古新聞紙200Kg を濃度50％の硫酸バンドとポリ塩化アルミニウムとの混合液 100リットル中に浸漬した後、ミキサーにより混合して、繊維状とするとともに、古紙の表面に硫酸バンドとポリ塩化アルミニウムとを吸着させて、汚泥処理剤150Kg を生成した。
【００３２】
尚、凝集剤として、硫酸鉄、塩化第二鉄の溶液を用いても、上記と同様にして、汚泥処理剤を生成することができる。
【００３３】
（実施例３）
普通紙200Kg を水中に浸漬した後、ミキサーにより混合して、繊維状とし、さらに真空脱水機により脱水処理し、その後、同繊維状の紙に消石灰 50Kg を混入し、紙の表面に消石灰を吸着させ、塊状化した紙を破砕して、粉末状の汚泥処理剤150Kg を生成した。
【００３４】
（実施例４）
古新聞紙200Kg を水中に浸漬した後、ミキサーにより混合して、繊維状とし、さらに真空脱水機により脱水処理し、その後、同繊維状の古紙に硫酸バンド、ポリ塩化アルミニウム、塩化第二鉄、硫酸鉄の濃度50％の混合液 100リットルを混入し、古紙の表面に硫酸バンド、ポリ塩化アルミニウム、塩化第二鉄、硫酸鉄とを吸着させ、その後、乾燥させて、綿状の汚泥処理剤150Kg を生成した。
【００３５】
尚、硫酸バンド、ポリ塩化アルミニウム、塩化第二鉄、硫酸鉄とを混合しても、化学反応は起こらず、混合溶液となる。
【００３６】
（実施例５）
古新聞紙200Kg を水中に浸漬した後、ミキサーにより混合して、繊維状とし、水分を50％含んだ液状のまま、繊維状の古紙に、硫酸バンド、ポリ塩化アルミニウム、塩化第二鉄、硫酸鉄との濃度50％の混合液 100リットルを混入し、古紙にマイナスの電圧を印加する一方、混合液にプラスの電圧を印加して、古紙の表面に硫酸バンド、ポリ塩化アルミニウム、塩化第二鉄、硫酸鉄とを電気的に吸着させて液状の汚泥処理剤150Kg を生成した。
【００３７】
（実施例６）
前記実施例１〜実施例５のいずれかにより生成した汚泥処理剤150Kg （処理する汚泥の３％）を汚泥5000Kgの中へ混入し、プレス脱水機により、汚泥5000Kgを汚泥処理剤に吸着した汚泥800Kg と水とに分離した。そして、分離後の汚泥の含水率を測定したところ、含水率が60％以下であり、従来よりも10％〜20％の水分を脱水できることが確認できた。これにより、脱水処理された汚泥の量を従来の1/2 〜1/4 にできることが確認できた。
【００３８】
【発明の効果】
本発明は、以上説明してきたような形態で実施され、以下に記載されるような効果を奏する。
【００３９】
すなわち、本発明では、従来脱水処理することが困難とされていた汚泥を、安全、かつ、効率良く脱水処理することができ、従って、脱水処理された汚泥量を大幅に減少させることができる。
【００４０】
また、汚泥処理剤の生成や汚泥処理に際し、特異な条件（温度、圧力等）下で行う必要がないため、特殊な装置を必要とせずに汚泥処理剤の生成や汚泥処理をすることができる。
【００４１】
特に、汚泥処理剤の原料として、古新聞紙等の古紙を利用する場合には、資源の有効活用を図ることができる。
【００４２】
しかも、植物性繊維又は動物性繊維にマイナスの電圧を印加する一方、凝集剤にプラスの電圧を印加して、電気泳動を利用して植物性繊維又は動物性繊維に凝集剤を電気的に吸着させることにより、凝集剤の電気泳動によって、短時間で植物性繊維又は動物性繊維に凝集剤を吸着させることができ、汚泥処理剤の生成時間を短縮することができる。